(57)【要約】【課題】無駄な運転を抑制することができる換気装置を提供する。【解決手段】換気装置（10）は、室内空気を室外に放出し、室外空気を室内に供給して少なくとも加湿を行う。そして、ユーザの入力操作により、室内における結露発生情報が入力される。その入力に基づいて、室内の相対湿度を低下させて結露を除去するための結露除去運転を行う。具体的に、室外湿度と、室内湿度と、室外温度とに基づいて、結露除去運転のモードを決定する。【選択図】図１
2006329583.tif 000002
【特許請求の範囲】
【請求項１】
室内空気を室外に放出し、室外空気を室内に供給して少なくとも加湿を行う換気装置であって、
室内における結露発生情報を入力するための入力手段（40）と、
上記入力手段（40）からの結露発生情報に基づいて、室内の相対湿度を低下させて上記結露を除去するための結露除去運転を行う結露除去手段（31）とを備えている
ことを特徴とする換気装置。
【請求項２】
請求項１において、
上記結露除去手段（31）は、
室外湿度と、室内湿度と、室外温度とに基づいて、結露除去運転のモードを決定するように構成されている
ことを特徴とする換気装置。
【請求項３】
請求項２において、
上記結露除去運転のモードは、換気モードである
ことを特徴とする換気装置。
【請求項４】
請求項２において、
吸着剤が担持された吸着部材と、
上記吸着部材を少なくとも加熱するための熱源手段と、
を備え、
上記吸着剤と接触させて加湿された空気を室内に供給する加湿モードと、上記吸着部材で加温された空気を室内に供給する暖房モードとを少なくとも行う一方、
上記結露除去運転のモードは、上記暖房モードである
ことを特徴とする換気装置。
【請求項５】
請求項２において、
吸着剤が担持された吸着部材と、
上記吸着部材を少なくとも加熱するための熱源手段と、
を備え、
上記吸着剤と接触させて加湿された空気を室内に供給する加湿モードと、上記吸着剤と接触させて除湿された空気を室外に排気する除湿モードとを少なくとも行う一方、
上記結露除去運転のモードは、上記除湿モードである
ことを特徴とする換気装置。
【発明の詳細な説明】
【技術分野】
【０００１】
本発明は、換気装置に関し、特に、結露対策に係るものである。
【背景技術】
【０００２】
従来より、室内空気を室外に放出し、室外空気を室内に供給する換気装置が知られている。そして、換気装置の一種として、除湿した空気を室外に放出し、加湿した空気を室内に供給する加湿運転を行う調湿装置が知られている。
【０００３】
例えば、特許文献１には、吸着剤が水分の吸着と脱離とを行うことにより空気の湿度を調節する調湿装置が開示されている。この調湿装置は、第１の熱交換器及び第２の熱交換器を有し、冷媒が循環して蒸気圧縮式冷凍サイクルを行い、第１及び第２熱交換器で冷媒の凝縮と蒸発とを交互に行う冷媒回路を備えている。また、吸着剤が、第１熱交換器及び第２熱交換器の表面に担持されている。そして、上記調湿装置は、第１熱交換器において室内空気から水分を吸着すると同時に、第２熱交換器において室外空気を加湿して室内に供給する運転と、第２熱交換器において室内空気から水分を吸着すると同時に、第１熱交換器において室外空気を加湿して室内に供給する運転を交互に行い、加湿運転を行う、と記載されている。
【特許文献１】特開２００４−２９４０４８号公報
【発明の開示】
【発明が解決しようとする課題】
【０００４】
ところで、建家における窓面には、結露が生じる場合がある。
【０００５】
調湿装置は、上述のように、室外空気を室内に供給し、室内空気を室外に放出する。そのため、結露発生時に、室内空気よりも高湿な加湿空気を供給してしまうと、供給された室外空気は結露となってしまう。しかし、従来の調湿装置は、結露について何らの対策もなされていないので、結露が発生した後であっても加湿運転を行い続ける。すなわち、加湿運転を行っても室内の結露の量が増加するだけであり、この結果、無駄な加湿運転が行われてしまう。
【０００６】
本発明は、かかる点に鑑みてなされたものであり、その目的とするところは、無駄な加湿運転を防止するようにした換気装置を提供することにある。
【課題を解決するための手段】
【０００７】
第１の発明は、室内空気を室外に放出し、室外空気を室内に供給して少なくとも加湿を行う換気装置である。そして、室内における結露発生情報を入力するための入力手段（40）と、上記入力手段（40）からの結露発生情報に基づいて、室内の相対湿度を低下させて上記結露を除去するための結露除去運転を行う結露除去手段（31）とを備えている。
【０００８】
第１の発明では、結露が生じると、ユーザは、リモコンなどの入力手段（40）により、結露が発生したという情報を入力する。この情報に基づいて、結露除去手段（31）が、室内の相対湿度を低下させ、結露を除去する。
【０００９】
第２の発明は、上記第１の発明において、上記結露除去手段（31）は、室外湿度と、室内湿度と、室外温度とに基づいて、結露除去運転のモードを決定するように構成されている。
【００１０】
第２の発明では、結露除去手段（31）は、室外湿度と、室内湿度と、室外温度とに基づき、室内の結露を除去する運転モードを決定する。この結果、確実に結露を除去することができ、快適性の向上を図ることができる。
【００１１】
第３の発明は、上記第２の発明において、上記結露除去運転のモードは、換気モードである。
【００１２】
第３の発明では、上記換気手段が室内の結露を除去する。具体的に、室外空気の温度が１０〜１５℃の温度範囲よりも高く、室外絶対湿度が室内絶対湿度よりも低ければ、その室外空気を室内にそのまま供給する。この結果、室内空気の温度が上昇し、室内空気の露点温度が高くなって、結露を除去することができる。
【００１３】
第４の発明は、上記第２の発明において、吸着剤が担持された吸着部材と、上記吸着部材を少なくとも加熱するための熱源手段と、を備え、上記吸着剤と接触させて加湿された空気を室内に供給する加湿モードと、上記吸着部材で加温された空気を室内に供給する暖房モードとを少なくとも行う一方、上記結露除去運転のモードは、上記暖房モードである
。
【００１４】
第４の発明では、暖房手段が室内の結露を除去する。具体的に、室外空気の温度が１０〜１５℃の温度範囲よりも低く、室外絶対湿度が室内絶対湿度よりも低ければ、室内空気の温度を上昇させる。この結果、室内空気の露点温度が高くなり、結露を除去することができる。
【００１５】
第５の発明は、上記第２の発明において、吸着剤が担持された吸着部材と、上記吸着部材を少なくとも加熱するための熱源手段と、を備え、上記吸着剤と接触させて加湿された空気を室内に供給する加湿モードと、上記吸着剤と接触させて除湿された空気を室外に排気する除湿モードとを少なくとも行う一方、上記結露除去運転のモードは、上記除湿モードである。
【００１６】
第５の発明では、除湿手段が室内の結露を除去する。具体的に、室外絶対湿度が室内絶対湿度よりも高ければ、室内空気を除湿する。この結果、室内空気の湿度が低下するため、結露を除去することができる。
【発明の効果】
【００１７】
本発明によれば、結露が発生すると、結露除去手段（31）が結露除去運転を行うようにしたため、無駄な運転を抑制することができる。この結果、省エネルギー化を図ることができる。
【００１８】
また、上記第２の発明によれば、室外空気及び室内空気の条件から、最適な結露除去運転のモードを決定する。この結果、結露が確実に除去される。
【００１９】
また、上記第３の発明によれば、外気条件と室内空気の条件から、運転モードとして換気運転モードが選択されると、低湿度の外気導入するのみでもって、結露を除去することができる。
【００２０】
また、上記第４の発明によれば、外気条件と室内空気の条件から、運転モードとして暖房運転モードが選択されると、室内の相対湿度を確実に低下させることができるので、結露を除去することができる。
【００２１】
また、上記第５の発明によれば、外気条件と室内空気の条件から、運転モードとして除湿運転モードが選択されると、室内の絶対湿度を低下させることができるので、結露を除去することができる。
【発明を実施するための最良の形態】
【００２２】
以下、本発明の実施形態を図面に基づいて詳細に説明する。
【００２３】
《発明の実施形態１》
本発明の実施形態１について説明する。本実施形態は、図１に示すように、除湿した空気を室内へ供給する除湿運転と、加湿した空気を室内へ供給する加湿運転と等が可能な調湿装置に適用したものである。
【００２４】
上記調湿装置（10）は、冷媒回路（50）を備えている。この冷媒回路（50）は、第１吸着熱交換器（51）、第２吸着熱交換器（52）、圧縮機（53）、四方切換弁（54）、及び電動膨張弁（膨張機構）（55）が設けられた閉回路である。この冷媒回路（50）は、充填された冷媒を循環させることによって、蒸気圧縮冷凍サイクルを行う。
【００２５】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００２６】
上記四方切換弁（54）は、第１のポートと第３のポートが連通して第２のポートと第４のポートが連通する第１状態（図１(Ａ)に示す状態）と、第１のポートと第４のポートが連通して第２のポートと第３のポートが連通する第２状態（図１(Ｂ)に示す状態）とに切り換え可能となっている。
【００２７】
図２に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００２８】
上記各吸着熱交換器（51,52）では、各フィン（57）の表面に吸着剤が担持されて吸着部材を構成し、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００２９】
上記調湿装置（10）は、コントローラ（30）を備えている。該コントローラ（30）は、結露除去手段（31）を備えている一方、入力スイッチ（40）が接続されている。また、上記コントローラ（30）には、図示しないが、室外温度を検出する室外温度センサと、室外湿度を検出する室外湿度センサと、室内温度を検出する室内温度センサと、室内湿度を検出する室内湿度センサから、温湿度情報が入力されている。
【００３０】
また、上記調湿装置（10）は、コントローラ（30）によって、普通換気モードと除湿モードと加湿モードと冷房モードと暖房モードとに切り換わるように構成されている。
【００３１】
上記普通換気モードは、第１及び第２吸着熱交換器で水分の吸脱着を行うことなく、室内空気を室外に放出し、室外空気を室内に供給する運転である。
【００３２】
上記除湿モードは、一方の吸着熱交換器で室外空気を除湿して室内に供給する一方、他方の吸着熱交換器で室内空気に水分を放出して室外に排気する運転である。
【００３３】
上記加湿モードは、一方の吸着熱交換器で室外空気を加湿して室内に供給する一方、他方の吸着熱交換器で室内空気から水分を吸着して室外に排気する運転である。
【００３４】
上記冷房モードは、一方の吸着熱交換器で室外空気を冷却して室内に供給する一方、他方の吸着熱交換器で室内空気を加温して室外に排気する運転である。
【００３５】
上記暖房モードは、一方の吸着熱交換器で室外空気を加温して室内に供給する一方、他方の吸着熱交換器で室内空気を冷却して室外に排気する運転である。
【００３６】
−運転動作−
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。また、上記調湿装置（10）は、除湿運転中と加湿運転中の何れにおいても、第１動作と第２動作を所定の時間間隔（例えば３分間隔）で交互に繰り返す。
【００３７】
上記調湿装置（10）は、除湿運転中であれば第１空気として室外空気（OA）を、第２空気として室内空気（RA）をそれぞれ取り込む。また、上記調湿装置（10）は、加湿運転中であれば第１空気として室内空気（RA）を、第２空気として室外空気（OA）をそれぞれ取り込む。
【００３８】
先ず、第１動作について説明する。第１動作中には、第１吸着熱交換器（51）へ第２空気が、第２吸着熱交換器（52）へ第１空気がそれぞれ送り込まれる。この第１動作では、第１吸着熱交換器（51）についての再生動作と、第２吸着熱交換器（52）についての吸着動作とが行われる。
【００３９】
図１(Ａ)に示すように、第１動作中の冷媒回路（50）では、四方切換弁（54）が第１状態に設定される。圧縮機（53）を運転すると、冷媒回路（50）内で冷媒が循環する。具体的に、圧縮機（53）から吐出された冷媒は、第１吸着熱交換器（51）で放熱して凝縮する。第１吸着熱交換器（51）で凝縮した冷媒は、電動膨張弁（55）を通過する際に減圧され、その後に第２吸着熱交換器（52）で吸熱して蒸発する。第２吸着熱交換器（52）で蒸発した冷媒は、圧縮機（53）へ吸入されて圧縮され、再び圧縮機（53）から吐出される。
【００４０】
このように、第１動作中の冷媒回路（50）では、第１吸着熱交換器（51）が凝縮器となり、第２吸着熱交換器（52）が蒸発器となる。第１吸着熱交換器（51）では、フィン（57）表面の吸着剤が伝熱管（58）内の冷媒によって加熱され、加熱された吸着剤から脱離した水分が第２空気に付与される。一方、第２吸着熱交換器（52）では、フィン（57）表面の吸着剤に第１空気中の水分が吸着され、発生した吸着熱が伝熱管（58）内の冷媒に吸熱される。
【００４１】
そして、除湿運転中であれば、第２吸着熱交換器（52）で除湿された第１空気が室内へ供給され、第１吸着熱交換器（51）から脱離した水分が第２空気と共に室外へ排出される。一方、加湿運転中であれば、第１吸着熱交換器（51）で加湿された第２空気が室内へ供給され、第２吸着熱交換器（52）に水分を奪われた第１空気が室外へ排出される。
【００４２】
次に、第２動作について説明する。第２動作中には、第１吸着熱交換器（51）へ第１空気が、第２吸着熱交換器（52）へ第２空気がそれぞれ送り込まれる。この第２動作では、第２吸着熱交換器（52）についての再生動作と、第１吸着熱交換器（51）についての吸着動作とが行われる。
【００４３】
図１(Ｂ)に示すように、第２動作中の冷媒回路（50）では、四方切換弁（54）が第２状態に設定される。圧縮機（53）を運転すると、冷媒回路（50）内で冷媒が循環する。具体的に、圧縮機（53）から吐出された冷媒は、第２吸着熱交換器（52）で放熱して凝縮する。第２吸着熱交換器（52）で凝縮した冷媒は、電動膨張弁（55）を通過する際に減圧され、その後に第１吸着熱交換器（51）で吸熱して蒸発する。第１吸着熱交換器（51）で蒸発した冷媒は、圧縮機（53）へ吸入されて圧縮され、再び圧縮機（53）から吐出される。
【００４４】
このように、冷媒回路（50）では、第２吸着熱交換器（52）が凝縮器となり、第１吸着熱交換器（51）が蒸発器となる。第２吸着熱交換器（52）では、フィン（57）表面の吸着剤が伝熱管（58）内の冷媒によって加熱され、加熱された吸着剤から脱離した水分が第２空気に付与される。一方、第１吸着熱交換器（51）では、フィン（57）表面の吸着剤に第１空気中の水分が吸着され、発生した吸着熱が伝熱管（58）内の冷媒に吸熱される。
【００４５】
そして、除湿運転中であれば、第１吸着熱交換器（51）で除湿された第１空気が室内へ供給され、第２吸着熱交換器（52）から脱離した水分が第２空気と共に室外へ排出される。一方、加湿運転中であれば、第２吸着熱交換器（52）で加湿された第２空気が室内へ供給され、第１吸着熱交換器（51）に水分を奪われた第１空気が室外へ排出される。
【００４６】
尚、普通換気モードは、冷却回路及び空気通路を切り換えることなく、室外空気を室内に供給し、室内空気を室外に放出する。
【００４７】
また、冷房モードは、一方の吸着熱交換器で室外空気を冷却して室内に供給する一方、他方の吸着熱交換器で室内空気を加温して室外に排気する運転である。
【００４８】
また、暖房モードは、一方の吸着熱交換器で室外空気を加温して室内に供給する一方、他方の吸着熱交換器で室内空気を冷却して室外に排気する運転である。
【００４９】
次に、結露を除去する制御について、図３に基づき説明する。
【００５０】
上記加湿運転時や除湿運転時において、ユーザは、リモコンなどによって室内の設定湿度を入力する。この設定湿度に基づいて、室内湿度が目標湿度となるように加湿運転及び除湿運転が行われる。
【００５１】
この加湿運転時において、目標湿度や外気条件などによって室内に結露が生じる場合がある。この結露が生じると、ユーザは入力スイッチを操作し、結露を申告する。例えば、ユーザが湿度設定のダウンスイッチをオンにした場合や、専用の結露スイッチをオンにすると、結露に関する情報が入力される。
【００５２】
上記入力スイッチは、リモコンなどにより構成され、結露スイッチや湿度設定のダウンスイッチで構成されている。上記入力スイッチは、加湿運転時において、室内の窓などに結露が生じると、ユーザが申告するためのスイッチである。
【００５３】
上記結露除去手段（31）は、入力スイッチからの結露発生情報に基づいて、室内の結露を除去する。具体的に、室外湿度と室内湿度との大小関係と、室外温度とに基づいて、室内の結露を除去する運転モードを決定する。つまり、結露除去手段（31）は、結露が発生すると、外気条件及び室内空気の条件から室内結露を除去する最適な運転モードを決定して、実行する。
【００５４】
結露除去情報が入力されると、まず、図３のステップＳＴ１において、デフロスト運転信号が受信される。続いて、ステップＳＴ２において、室外温度センサにより室外温度を測定し、室外湿度センサにより室外絶対湿度を測定し、室内湿度センサにより室内絶対湿度を測定する。その後、ステップＳＴ３において、最適なデフロスト運転モードを決定する。
【００５５】
最適な結露除去運転のモードは、室外湿度と室内湿度との大小関係と、室外温度とに基づいて決定される。例えば、室外空気が、低温低湿である場合、つまり、室外空気の温度が１０〜１５℃の温度範囲よりも低く、室外絶対湿度が室内絶対湿度よりも低い場合、結露除去手段（31）は、最適な運転モードとして、暖房運転モードを選択する。具体的に、冷媒回路（50）における冷媒循環の切り換えを行うことなく、室外空気を凝縮器として機能している吸着熱交換器に通して室内へ供給する。
【００５６】
また、室外空気が低温高湿である場合、つまり、室外空気の温度が１０〜１５℃の温度範囲よりも低く、室外絶対湿度が室内絶対湿度よりも高い場合、結露除去手段（31）は、最適な運転モードとして除湿運転モードを選択する。具体的に、上述の除湿運転を行う。
【００５７】
また、室外空気が高温低湿である場合、つまり、室外空気の温度が１０〜１５℃の温度範囲よりも高く、室外絶対湿度が室内絶対湿度よりも低い場合、結露除去手段（31）は、最適な運転モードとして換気運転モードを選択する。具体的には、圧縮機（53）の運転を停止し、ファンのみを運転させる。
【００５８】
また、室外空気が高温高湿である場合、つまり、室外空気の温度が１０〜１５℃の温度範囲よりも高く、室外絶対湿度が室内絶対湿度よりも高い場合、結露除去手段（31）は、最適な運転モードとして除湿運転モードを選択する。具体的に、上述の除湿運転を行う。
【００５９】
−実施形態１における効果−
本実施形態は、ユーザからの申告により、結露除去手段（31）が結露を除去する。具体的には、室外絶対湿度と室内絶対湿度との大小関係と、室外温度とに基づいて、結露を除去するために最適な運転モードが決定され、その運転モードを実行する。そのため、確実に結露を除去できる。また、結露発生時に加湿運転が行われることはないため、無駄な加湿運転を阻止することができる。よって、省エネルギー化を図ることができる。
【００６０】
室外空気が低温低湿である場合には、結露除去手段（31）は暖房運転モードを選択するため、室内空気の温度が上昇する。この結果、室内空気の露点が上昇して、結露が除去される。
【００６１】
室外空気が低温高湿及び高温高湿である場合には、結露除去手段（31）は除湿運転モードを選択するため、室内空気が除湿される。この結果、結露は、吸着剤に吸着されて、除去される。
【００６２】
室外空気が高温低湿である場合には、結露除去手段（31）は換気モードを選択するため、高温の空気が室内に供給される。この結果、室内空気の温度が上昇して、室内空気の露点が上昇する。よって、結露が除去される。
【００６３】
《その他の実施形態》
上記実施形態では、調湿装置（10）が次のように構成されていてもよい。ここでは、調湿装置（10）の変形例について説明する。
【００６４】
−第１変形例−
図４に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【００６５】
この調湿装置（10）は、第１動作と第２動作を繰り返す。図４(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図４(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【００６６】
−第２変形例−
図５に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【００６７】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【００６８】
また、上記実施形態は、１台の調湿装置を室内に設けた場合について説明したが、室内のペリメータゾーンとインテリアゾーンとに複数の調湿装置を設ける場合、結露発生時にペリメータゾーンの調湿装置のみに結露発生運転を実行させ、インテリアゾーンの調湿装置は、結露発生情報の入力時の運転を続行させるように複数の調湿装置を連動させる連動制御手段を設けるようにしてもよい。
【００６９】
なお、以上の実施形態は、本質的に好ましい例示であって、本発明、その適用物、あるいはその用途の範囲を制限することを意図するものではない。
【産業上の利用可能性】
【００７０】
以上説明したように、本発明は、換気装置、特に、調湿機能を有する換気装置について有用である。
【図面の簡単な説明】
【００７１】
【図１】実施形態１の冷媒回路の構成を示す配管系統図であって、(Ａ)は第１動作中の動作を示すものであり、(Ｂ)は第２動作中の動作を示すものである。
【図２】吸着熱交換器の概略斜視図である。
【図３】実施形態１の調湿装置における結露除去手段のフロー図である。
【図４】その他の実施形態の第１変形例における調湿装置の概略構成図であって、(Ａ)は第１動作中の動作を示すものであり、(Ｂ)は第２動作中の動作を示すものである。
【図５】その他の実施形態の第２変形例における調湿ユニットの概略斜視図である。
【符号の説明】
【００７２】
10  調湿装置（換気装置）
31  結露除去手段
40  入力手段
【図１】
2006329583.tif 000003
【図２】
2006329583.tif 000004
【図３】
2006329583.tif 000005
【図４】
2006329583.tif 000006
【図５】
2006329583.tif 000007